(57)【特許請求の範囲】
【請求項１】
脚杆同志を交叉状態に枢着して折り畳み可能に構成した脚体と、この脚体により支持する被支持材と、前記脚体を載置する載置部とを備えた開閉脚装置において、前記脚杆同志は平面状に折り畳み可能に構成され、前記脚杆は略四角形のフレーム状をなし、一方の前記脚杆を他方の前記脚杆より小さく形成し、前記脚体の折り畳み状態で、前記他方の脚杆内に前記一方の脚杆を収納可能な構成とし、前記一方の脚杆の下部を前記載置部に回動可能に連結し、前記脚体の使用状態で、前記他方の脚杆の下部が着脱可能に係止する使用係止部を前記載置部に設け、該載置部が座席の背もたれの背面であり、この背もたれが背面を上方とした位置に設定可能であることを特徴とする開閉脚装置。
【請求項２】
前記使用係止部は、前記一方の脚杆の下部側に開口する挿入部を有することを特徴とする請求項１記載の開閉脚装置。
【請求項３】
前記載置部に、折畳状態で、前記一方の脚杆の上部側又は前記他方の脚杆が係止する収納係止部を設けたことを特徴とする請求項１記載の開閉脚装置。
【発明の詳細な説明】
【０００１】
【産業上の利用分野】
本発明は、テーブルなどに用いる開閉脚装置に関する。
【０００２】
【発明が解決しようとする課題】
この種の装置は、テーブル，椅子，踏み台などの開閉脚等に用いられ、例えば、特開平１０−７１０２４号公報に、天板と脚部とが取り外し自在に連結されている携帯用のテーブル（公報請求項１）があり、また、特開平１０−２４８６４７号公報に、メインテーブルと複数の簡易チェアーとよりなり、メインテーブルは、上記テーブルレッグを折り畳んだ状態から起立状態に起こすことにより、いわゆる脚部を構成してテーブルに組立てられる（公報第０００８段）自動車用携帯テーブルがあり、また、椅子では、特許第２９０３１５１号公報に、上部に腰掛け部を配置せしめる脚部を、脚杆同志を交叉状態に枢着して折り畳み自在に構成した椅子の脚部（公報第０００８段）などがある。
【０００３】
そして、上記携帯用のテーブルでは、折り畳んだ脚部を開き、天板と天板支持部材とは蝶ねじ等により固定され、更に天板支持部材と脚部とは固定具により連結（公報第００１８段）されるものであるため、脚部の組み立て作業が煩雑であり、また、自動車用携帯テーブルも、テーブルレッグを起立状態に起こす作業が必要となり、また、上記椅子の脚部でも、腰掛部のセットが煩雑なものになることが予想される。さらに、これら従来技術のものは、いずれも、脚部が使用場所に置かれて使用されるものであるから、外力を受けると、位置ずれを起こす場合があり、載置状態が不安定となる。
【０００４】
そこで、本発明は、脚部のセットが容易で、安定して使用することができる開閉脚装置を提供することを目的とする。
【０００５】
【課題を解決するための手段】
請求項１の発明は、 脚杆同志を交叉状態に枢着して折り畳み可能に構成した脚体と、この脚体により支持する被支持材と、前記脚体を載置する載置部とを備えた開閉脚装置において、前記脚杆同志は平面状に折り畳み可能に構成され、前記脚杆は略四角形のフレーム状をなし、一方の前記脚杆を他方の前記脚杆より小さく形成し、前記脚体の折り畳み状態で、前記他方の脚杆内に前記一方の脚杆を収納可能な構成とし、前記一方の脚杆の下部を前記載置部に回動可能に連結し、前記脚体の使用状態で、前記他方の脚杆の下部が着脱可能に係止する使用係止部を前記載置部に設け、該載置部が座席の背もたれの背面であり、この背もたれが背面を上方とした位置に設定可能であるものである。
【０００６】
この請求項１の構成によれば、折り畳んだ脚体を開き、すなわち脚杆の上部間を狭めるように脚杆を回動し、他方の脚杆の下部を係止部に係止することにより、脚体を使用状態で載置部に固定してセットすることができる。そして、載置部に一方の脚杆が予め回動可能に連結されているから、載置部における脚体の開閉作業を簡便に行うことができ、かつ脚体が安定し、この安定した脚体により被支持材を支持することができる。また、収納状態で載置部にコンパクトに収納できる。さらに、折り畳んだ状態で、他方の脚杆内に一方の脚杆が納まり、かつ同一平面状に収納され、コンパクトに収納できる。さらに、背もたれをその背面を上方とした位置に設定し、この背面上に脚体を固定状態で安定して使用することができる。
【０００７】
また、請求項２の発明は、前記使用係止部は、前記一方の脚杆の下部側に開口する挿入部を有するものである。
【０００８】
この請求項２の構成によれば、使用状態より脚体を多少大きく開き、他方の脚杆の下部を載置部に沿わせ、挿入部から使用係止部に挿入することにより、その使用係止部への係止作業を簡便に行うことができる。また、係止後、被支持材の荷重により、脚杆を閉める方向に力が加わり、脚杆の下部を開く力が発生しても、挿入部は一方の脚杆の下部側に開口するから、使用係止部から他方の脚杆の下部が外れることがなく、前記荷重に対しても安定した構造となる。
【０００９】
【００１０】
【００１１】
また、請求項３の発明は、前記載置部に、折畳状態で、前記一方の脚杆の上部側又は前記他方の脚杆が係止する収納係止部を設けたものである。
【００１２】
この請求項３の構成によれば、前記一方の脚杆の上部側又は前記他方の脚杆を収納係止部に係止すれば、一方の脚杆の下部が載置部に連結されているから、脚体が開くことなく載置部に収納できる。
【００１３】
【００１４】
【００１５】
【００１６】
この請求項３の構成によれば、一方の脚杆の上部側を収納係止部に係止すれば、下部の連結箇所との２点で脚体が固定される。
【００１７】
【００１８】
【００１９】
【発明の実施形態】
以下、本発明の実施例を添付の図面を参照して説明すると、図１〜図２３は本発明の一実施例を示し、同図は、本発明を車載用のテーブル装置に用いた例であり、テーブル装置は、天板１と、この天板１の支持部材である脚体２とを備える。そして、天板１が脚体２の被支持材である。座席101の背もたれ102の背面103に、収納部３が設けられ、使用時には、載置部たる背もたれ102の背面103に、脚体２が載置され、また、収納時には、前記脚体２と天板１とが前記収納部３に収納される。そして、前記天板１が、前記収納部３に収納する収納物であり、また、脚体２も収納物である。
【００２０】
図２及び図３に示すように、前記脚体２は、対をなす脚杆21，21Ａを交叉状態とし、枢着部22で枢着して折り畳み可能に構成されている。前記脚杆21，21Ａは、金属製の丸パイプＰを四角形の枠状に形成してなる。長辺と短辺を有する脚杆21，21Ａは、短辺同志が前記枢着部22により枢着され、使用状態で、長辺の一方が上部たる脚上部23，23Ａとなり、他方が下部たる脚下部24，24Ａとなる。図４〜図６に示すように、それら脚杆21，21Ａの脚上部23，23Ａの長さ方向中央に、凹凸係合部の一方を構成する凹係合部が設けられ、この凹係合部は連結部材25に周設した溝部26である。前記連結部材25は、両端に脚杆21，21Ａの丸パイプＰ内に挿入する挿入部251と、丸パイプＰの端面に当接する鍔部252とが一体に設けられ、両側の鍔部252，252の間に前記溝部26が形成され、この溝部26に、前記天板１の後述する凸係合部が係合する。また、この例では、連結部材25は金属製であり、前記丸パイプＰに溶着されている。そして、一方の前記脚杆21を他方の前記脚杆21Ａより小さく形成し、図１に示す折り畳み状態で、脚杆21Ａ内に脚杆21が収納されると共に、脚杆21，21Ａが同一平面状をなすように構成されている。
【００２１】
前記収納部３には、平面的に折り畳んだ脚体２が沿う収納平面30を設け、この収納平面30が収納部底面であり、また、背もたれ102を立てた状態で、背もたれ下側に連結部たる連結金具31を設け、この連結金具31に前記一方の脚杆21の脚下部24を回動可能に連結する。また、背もたれ上側に、図８に示すように、使用係止部たる使用係止金具32Ａ，32，32Ａを設け、これら使用係止金具32，32Ａに、前記他方の脚杆21Ａの脚下部24Ａが着脱可能に係止する。また、前記使用係止金具32，32Ａは前記連結金具31側に開口する挿入部321を有する。中央の前記使用係止金具32を挟む両側に前記使用係止金具32Ａ，32Ａが設けられており、その中央の使用係止金具32は、先端側を僅かに狭くした段発部322を有し、挿入部321から前記脚下部24を挿入すると、段発部322が収納平面30から離れる方向に弾性変形した後、復帰して脚下部24に係止し、抜け止め作用が得られる。前記使用係止金具32に近接した上側には、収納係止部33を設け、この収納係止部33に一方の脚杆21の脚上部23が着脱可能に係止する。
【００２２】
前記座席101は、自動車に設けられており、背もたれ102は傾斜角度が可変で、図２〜図４，図１０に示すように、背面103が上向きで水平な位置に設定可能になっている。
【００２３】
したがって、図２に示すように、背もたれ102をその背面103が上向きとなるように倒し、収納平面30に沿って折り畳み状態の脚体２を、使用状態とするには、一方の脚杆21の脚上部23を持ち上げるようにして収納係止部33から外し、さらに、該脚上部23を連結金具31を中心に上方に回動する。この回動により脚体２は開き、すなわち脚上部23と脚下部24との間隔を開き、さらに、使用状態より多少大きく開くと、他方の脚杆21Ａの脚下部24Ａが使用係止金具32の連結金具31側に来て連結金具31のベース部311に接する。ここから、一方の脚上部23を押し下げると、他方の脚下部24Ａが挿入部321から使用係止金具32内に係止する。このように脚体２のセットが完了した後、脚体２の上部に天板１の荷重が加わっても、使用係止金具32は連結金具31側に開口した挿入部321を有する構造であるから、脚下部24，24Ａが広がることがなく、荷重に対して安定した構造となる。尚、脚下部24Ａが使用係止金具32に係止した状態で、両脚上部23，23Ａは同一高さ位置になる。
【００２４】
一方、図３に示す脚体２を折り畳むには、逆に、使用係止金具32から他方の脚下部24Ａを外し、一方の脚上部23を収納係止部33に係止すれば、脚杆21が脚杆21Ａ内に収納された状態で、脚体２を収納平面30に沿わせることができる。
【００２５】
次に、前記天板１の構成及び天板１と脚体２との支持構造について説明する。前記天板１は、長さ方向略中央で２分割された分割天板部11，11Ａからなり、これら分割天板部11，11Ａはほぼ同一形状をなしている。そして、図１に示すように、それら分割天板部11，11Ａは、下面111，111側を合わせて重ねられた状態で、前記収納部３に沿って収納され、この収納状態で、一方の分割天板部11が外側、他方の分割天板部11Ａが内側となる。
【００２６】
前記分割天板部11，11Ａの下面111，111には、それぞれ係止部たる係止片12，12，12Ａ，12Ａが設けられ、図２〜図３に示すように、前記脚上部23に対応して係止片12，12を設けると共に、前記脚上部23Ａに対応して係止片12Ａ，12Ａを設け、両係止片12，12Ａは天板１の幅方向一側に挿入部121，121Ａを有し、前記係止片12Ａの挿入部121Ａが分割天板部11，11Ａの縁側に近い位置に開口している。
【００２７】
前記分割天板部11，11Ａの下面111，111には、図１１〜図１３に示すように、幅方向及び長さ方向の複数の補強リブ13Ｈ，13Ｌが格子状に設けられている。さらに、それら分割天板部11，11Ａの下面111，111には、金属製からなる補強パイプ枠14を設け、この補強パイプたる補強パイプ枠14は、略長方形の外枠杆141と、この外枠杆141内に設けた長さ方向の連結杆142とからなり、外枠杆141及び連結杆142の下面側に固定板143を当て、この固定板143の両側をビス144にて分割天板部11，11Ａに固定し、これら分割天板部11，11Ａには前記ビス144が螺合するボス部145が形成されている。
【００２８】
また、前記係止片12，12Ａの挿入部121，121Ａに対応して、図１２などに示すように、前記分割天板部11，11Ａの下面111，111に案内補強リブ131を設け、この案内補強リブ131は、複数並設され、分割天板部11，11Ａの下面111，111から挿入部121，121Ａに向かって傾斜する傾斜縁132を有すると共に、この傾斜縁132に連続して下面111とほぼ平行な下縁133を有し、この下縁133の高さ位置は前記補強パイプ枠14の下面とほぼ同一である。したがって、図４に示すように、係止部12，12Ａに脚上部23，23Ａを係止して脚体２によって天板１を支持すると、脚上部23，23Ａが補強パイプ枠14と下縁133に当設するため、荷重支持を良好に行うことができる。このように構成することにより、比較的広い天板１を例えば合成樹脂などにより形成する場合でも、その肉厚寸法を抑えながら、必要な強度を得ることができる。
【００２９】
さらに、分割天板部11，11Ａの下面111，111には、図２，図３，図１１，図１３及び図１４に示すように、前記係止片12Ａに係止した前記脚上部23Ａの抜け出しを防止するストッパ15が設けられている。このストッパ15は、天板１の幅方向の回転中心軸151と、この回転中心軸151の一端部を折り曲げて形成した交叉方向の操作部152と、前記回転中心軸151の他端部に設けられた平面略Ｌ字状の従動部153と、この従動部153の先端に設けられ前記脚上部23Ａと交叉方向の交叉部153Ａと、この交叉部153Ａの先端に設けられた抜け止め部154とを備え、前記回転中心軸151を、軸受部155，155を備えた取付体156により、分割天板部11，11Ａの下面111，111に回動可能で且つ長さ方向の移動を規制した状態で軸支し、前記回転中心軸151に装着した付勢手段たるコイルスプリング157などの弾機により、前記抜け止め部154が分割天板部11，11Ａの下面111，111から離間する方向に付勢し、前記回転中心軸151に角度規制部158を突設し、この角度規制部158が前記取付体156に当接する位置で、前記抜け止め部154が、係止片12Ａに係止した前記脚上部23Ａの高さに対応した規制位置となって、該脚上部23Ａの抜け出しを防止し、一方、抜け止め部154が下面111側に所定角度回動した非規制位置とすると、係止片12Ａから脚上部23Ａを抜き取ることができる。また、操作部152及び交叉部153Ａには、それぞれ合成樹脂などの弾性キャップ159が設けられている。このように構成することにより、脚杆21Ａの脚上部23Ａを交叉部153Ａに当て、交叉部153Ａを下面111側に押してやれば、挿入部121Ａが開き、その交叉部153Ａと案内補強リブ131に摺動しながら脚上部23Ａを係止部12Ａに係止できる。そして、係止部12Ａに脚上部23Ａを係止すると、コイルスプリング157により抜け止め部154が挿入部121Ａ位置に復帰し、係止部12Ａから脚上部23Ａが抜けることがない。一方、操作部152を下面111側に押してやれば、抜け止め部154も下面111側に移動し、係止部12Ａから脚上部23Ａを取り外すことができる。尚、抜け止め部154は両係止部12Ａ，12Ａの間に位置する。また、分割天板部11，11Ａは、下面111側を合わせて重ね合せた状態で、互いのストッパ15及び係止部23，23Ａが干渉しないように、天板１の長さ方向位置をずらして設定している。
【００３０】
図２及び図３などに示すように、前記分割天板部11，11Ａの突合せ箇所には、それぞれ凸係合部たる突合せ壁部16，16が形成され、さらに、この突合せ壁部16に連続して分割天板部11，11Ａの周囲には壁部16Ａが形成されている。そして、両分割天板部11，11Ａの突合せ壁部16，16が凸係合部であって、前記溝部26に係合する。
【００３１】
また、分割天板部11，11Ａの上面には、図１１及び図１４に示すように、突合せ壁部16の近傍に、位置決め表示部17，17をそれぞれ設け、これら位置決め表示部17，17を合わせることにより両分割天板部11，11Ａを位置決めできる。また、その位置決め表示部17は前記ストッパ15の交叉部153Ａの位置に対応している。
【００３２】
したがって、上述したように収納部３に脚体２を使用状態にセットし、この脚体２に前記分割天板部11，11Ａを取付けるには、脚上部23，23Ａが係止部12，12Ａの挿入部121側に来るように分割天板部11，11Ａを脚体２に被せる。この場合、分割天板部11，11Ａには位置決め表示部17が設けられているから、これを目安として脚上部23Ａを位置合わせすることができる。また、脚体２の溝部26に、分割天板部11，11Ａの突合せ壁部16，16の側面162，162同志を合わせる。脚上部23Ａの位置合わせを行うと同時に分割天板部11，11Ａを下方に僅かに押してやれば、ストッパ15の抜け止め部154が下面111側に移動し、この後、分割天板部11，11Ａを幅方向にスライドさせて係止部12，12Ａに脚上部23，23Ａが係止することができる。尚、ストッパ15の交叉部153Ａを脚上部23Ａで押す代わりに、操作部152を手動操作して抜け止め部154を下面111に沿わせるようにしてもよい。また、両分割天板部11，11Ａの突合せ壁部16，16が、脚体２の溝部26に嵌入する。このようにして天板１を支持した構造では、係止部12，12Ａとストッパ15により、天板１に対する脚体２の脚上部23，23Ａの幅方向位置が規制され、突合せ壁部16，16と溝部26の係合により、脚上部23，23Ａの長さ方向位置が規制され、安定した支持構造が得られる。一方、天板１を外す場合は、下面111の縁近傍にある操作部152を操作し、この操作は、手で縁を持って挟むようにして行うことができ、操作部152を押したまま両分割天板部11，11Ａを持って逆方向にスライドさせてやれば、係止部12，12Ａから脚上部23，23Ａを外すことができる。したがって、わざわざ天板１を逆さにしたり、下から覗き込むようにして操作する必要がなく、特に、本実施例は、比較的広い天板１を扱うに適した構造である。
【００３３】
次に、前記背もたれ102の背面103に設けた座席背面収納装置について説明する。図１に示すように、背もたれ102は、内部にフレームたるフレーム枠104を有し、背もたれ102の起立状態で、前記フレーム枠104の上，下桟部104Ｕ，104Ｄに、上下方向の固定用ブラケット51が、その上下を固定手段52により固定され、この固定用ブラケット51，51は左右に設けられる。図１８及び図１９に示すように、前記固定手段52は、前記上，下桟部104Ｕ，104Ｄの透孔105と、この透孔105に装着するサスナット521と、前記固定用ブラケッ51の上下に設けた固定用透孔511と、ワッシャ付ボルト522とからなり、図１９に示すように、前記固定用透孔511にボルト522を挿通し、該ボルト522をサスナット521の雌螺子孔に螺合することにより、前記固定用ブラケット51を固定する。それら固定用ブラケット51，51の背面は平坦に形成されており、固定用ブラケット51，51の外側から、背面カバー体たるシートバックカバー106が、背もたれ102の背面開口部107に取付けられる。尚、前記シートバックカバー106は合成樹脂などからなり、予め工場出荷時から背もたれ102に設けられていたものである。
【００３４】
前記シートバックカバー106の外面に、上部ブラケット53が設けられ、この上部ブラケット53はベース本体54を有する。このベース本体54には透孔541が設けられ、この透孔541に対応して、図１６に示すように、前記シートバックカバー106に透孔106Ｋを穿設し、また、前記ベース本体54を固定するために、前記固定用ブラケット51の上部に雌螺子孔512を設け、図２０に示すように、ワッシャ付ボルト513を、前記透孔541，106Ｋに挿通して雌螺子孔512に螺合することにより、固定用ブラケット51にベース本体54が固定される。また、図７及び図８などに示すように、前記ベース本体54には、前記使用係止金具32と収納係止部33とが一体に設けられている。さらに、ベース本体54の上方に段部542を設け、この段部542の中央に当接面543が設けられ、その段部542の上部の上ベース部544に、ロック手段たる回転ストッパ55が設けられている。そして、この回転ストッパ55は上部ストッパである。尚、前記収納係止部33と段部542との間に前記脚下部24Ａと脚上部23とが並んで収納される。前記回転ストッパ55は、前記上ベース部544に固定台551を固定し、この固定台551には固定筒部552が設けられており、この固定筒部552に、回転ロック553の筒部554を回動可能に挿入し、回転中心となるネジ555を前記筒部554に挿入すると共に、そのネジ555を上ベース部544に螺着し、さらに、固定台551の回止め突起551Ｔを上ベース部544の孔544Ｋに挿入している。前記回転ロック553の外面には、ネジ555と交叉方向の摘み部556を設け、ロック解除位置で摘み部556の一側面556Ｍが前記固定台551の一側面551Ｍの位置となり、回転ロック553を略９０度回転すると、ロック位置となる。図７及び図９に示すように、前記固定台551の上面に、ネジ555を中心とした円弧溝557を形成し、この円弧溝557に沿って移動する係合突起558を、前記回転ロック553の下面に設け、その係合突起558の下端に位置決め凹部558Ａを設け、この位置決め凹部558Ａが段発的に係脱する位置決め凸部557Ｒ，557Ｆを、前記ロック位置とロック解除位置に対応して設けている。
【００３５】
前記シートバックカバー106の外面下部に、支持ブラケット61を設け、この支持ブラケット61はベース本体62を有する。このベース本体62に透孔611を設け、この透孔611に対応して、図２１に示すように、前記連結金具31に透孔311を設けると共に、図１６に示したように、前記シートバックカバー106に透孔106Ｋを穿設する。また、前記ベース本体62を固定するために、前記固定用ブラケット51の下部に雌螺子孔512を設け、図２１に示すように、ワッシャ付ボルト513を、前記透孔611，106Ｋに挿通して雌螺子孔512に螺合することにより、固定用ブラケット51に、ベース本体62と連結金具31とが固定され、これにより前記ベース本体62の外面に、前記連結金具31が一体に設けられる。なお、前記ボルト513が、上部ブラケット53と支持ブラケット63を前記固定用ブラケット51に固定するねじ手段である。さらに、ベース本体62の上方には段部622を設け、この段部622の下部に略コ字型の支持部63を設け、この支持部63の先端部631は上向であって僅かに外向きとなっている。尚、前記連結金具31と段部622との間に前記脚上部23Ａが収納される。
【００３６】
ここで図１５〜図２１を用いて前記固定用ブラケット51，上部ブラケット53及び支持ブラケット61などからなる収納装置の取付方法につき説明する。まず、作業がやり易いように背もたれ102を倒し、背面103を上向きとする。そして、収納装置を取付ける前の背もたれ102から、その背面103にあるシートバックカバー106を取り外す作業を行う。この例では、図１５に示すように、シートバックカバー106はグロメット108により背面103に固定されており、グロメット108を外すことにより、シートバックカバー106を外すことができる。そして、背面開口部107を覆うシートバックカバー106を外すと、フレーム枠104の上，下桟部104Ｕ，104Ｄが外部に表れる。図１６に示すように、外したシートバックカバー106には、電気ドリル41により前記透孔106Ｋを穿設する。また、シートバックカバー106の上部に複数の上部透孔106Ｇを穿設し、図１７に示すように、その上部透孔106Ｇにラバーグロメット109を装着する。尚、このラバーグロメット109は、シートバックカバー106を背面103に取付ける際、背面103側に係止して、シートバックカバー106の上部を背面103に隙間なく固定するためのものである。そして、図１８に示すように、上，下桟部104Ｕ，104Ｄの透孔105位置に前記サスナット521を装着し、図１９に示すように、ボルト522により固定用ブラケット51の上下を上，下桟部104Ｕ，104Ｄに固定し、この上から背面開口部107にシートバックカバー106を被せる。この後、図２０及び図２１に示すように、シートバックカバー106の上から、上部ブラケット53と支持ブラケット61とをボルト513により固定する。このように固定することにより、それらブラケット53，61は、固定用ブラケット51を介して、背もたれ102の骨格であるフレーム枠104に固定されるから、荷重に対する強度に優れたものとなる。また、固定用ブラケット51は、シートバックカバー106により隠れるから、外観意匠性を損なうこともない。
【００３７】
次に、前記収納装置により背もたれ102の背面103に収納する前記天板１の構成を、収納に係る点を中心に説明する。図１１〜図１４などに示すように、前記分割天板部11，11Ａの上面周囲は、段差部112が形成されると共に、この段差部112と周縁との間に段差面113を形成し、これら段差部112及び段差面113は突合せ壁部16側の縁を除いて設けられている。図１に示すように、前記分割天板部11，11Ａは、突合せ壁部16及び壁部16Ａ，16Ａの下端同志を突き合わせ、突合せ壁部16を下側にして収納部３に沿わせ、下部は支持ブラケット61により支持し、上部は回転ストッパ55により抜止め状態で収納固定する。この回転ストッパ55に対応して、図１３及び図２３などに示すように、外側となる分割天板部11の前記段差面113に外係合凹部114を形成し、この外係合凹部114に回転ストッパ55が係止可能となっている。また、前記段差面113は、前記外係合凹部114に対応する部分が、円弧状段差面113Ａに形成されている。また、図１４などに示すように、内側となる分割天板部11Ａの段差面113には、前記ベース本体54の段部542の上段部542Ａが係入する内係合凹部115が形成され、この内係合凹部115は前記上段部542Ａとほぼ同一幅であり、該外係合凹部115を上段部542Ａに係合することにより、収納時の分割天板部11Ａの左右方向位置が規制され、さらに、内係合凹部115位置の段差面113が、上部ブラケット53の当接面543に当接する。
【００３８】
図１及び図１１などに示すように、前記支持ブラケット61に対応して、外側となる分割天板部11の突合せ壁部16に、部分的に開口部161を設け、この開口部161に対応して、分割天板部11の下面111に、ブラケット係止部たる受金具116を設け、この受金具116に前記支持ブラケット61の先端部631が係止する。
【００３９】
したがって、収納部３に脚体２を収納した後、分割天板部11，11Ａを重ね合せ、この重ね合せ状態で、図１に示すように、分割天板部11，11Ａは、相互の壁部16，16Ａが突き合わされ、これら突き合せた壁部16，16Ａ及びそれら上面部とが、ほぼ閉断面の箱状体となる。そして、図１及び図２２に示すように、内側の分割天板部11Ａの突合せ壁部16を、支持ブラケット61に乗せるようにして係止すると共に、外側の分割天板部11の受金具116を、支持ブラケット61の先端部631に係止し、さらに、分割天板部11，11Ａの上部は、図１及び図２３に示すように、回転ストッパ55の回転ロック553を回転して外係合凹部114に係止することにより、抜け止め状態のロックがなされる。この場合、図１に示すように、外係合凹部114と壁部16Ａ，16Ａと内係合凹部115とは、それら壁部16Ａ，16Ａの下端同志が突き合わされて略コ字状の閉断面となるため、単に重ね合わせた場合よりも強度が向上し、この閉断面を構成する外係合凹部114に回転ロック553が係止するから、該回転ロック553により確実に分割天板部11，11Ａを押えることができる。また、それら係合凹部114，115に連続して断面コ字状となる段差面113Ａ，113が設けられているから、回転ロック553が係止する部分が一層強度的に優れたものとなる。
【００４０】
このように本実施例では、請求項１に対応して、脚杆11，11Ａ同志を交叉状態に枢着して折り畳み可能に構成した脚体２と、この脚体２により支持する被支持材たる天板１と、脚体２を載置する載置部たる背もたれ102とを備えた開閉脚装置において、脚杆21，21Ａ同志は平面状に折り畳み可能に構成され、脚杆21，21Ａは略四角形のフレーム状をなし、一方の脚杆21を他方の脚杆21Ａよりも小さく形成し、脚体２の折り畳み状態で、他方の脚杆21Ａに一方の脚杆21を収納可能な構成とし、一方の脚杆21の下部である脚下部23を背もたれ102に回動可能に連結し、脚体２の使用状態で、他方の脚杆21Ａの下部たる脚下部23Ａが着脱可能に係止する使用係止部たる使用係止金具32を背もたれ102に設け、載置部が座席101の背もたれ102の背面103であり、この背もたれ102が背面103を上方とした位置に設定可能であるから、折り畳んだ脚体２を開き、すなわち脚杆21，21Ａの上部間を狭めるように脚杆21，21Ａを回動し、他方の脚杆21Ａの下部を使用係止金具32に係止することにより、脚体２を使用状態で背もたれ102の背面103に固定してセットすることができる。そして、背もたれ102の背面103に一方の脚杆21が予め回動可能に連結されているから、背面103における脚体２の開閉作業を簡便に行うことができ、かつ脚体２が安定し、この安定した脚体２により天板１を支持することができる。また、収納状態で載置部にコンパクトに収納することができる。さらに、折り畳んだ状態で、他方の脚杆21Ａ内に一方の脚杆21が納まり、かつ同一平面状に収納され、コンパクトに収納することができる。さらに、背もたれ102をその背面103を上方とした位置に設定し、この背面103上に脚体２を固定状態で安定して使用することができる。
【００４１】
また、このように本実施例では、請求項２に対応して、使用係止部たる使用係止金具32は、一方の脚杆21の下部側に開口する挿入部321を有するから、使用状態より脚体２を多少大きく開き、他方の脚杆21の下脚部24Ａを背面103に沿わせ、挿入部321から使用係止金具32に挿入することにより、その使用係止金具32への係止作業を簡便に行うことができる。また、係止後、天板１の荷重により、脚体２を閉める方向に力が加わり、脚杆21，21Ａの下脚部24，24Ａを開く力が発生しても、挿入部321は一方の脚杆21の下部側に開口するから、使用係止金具32から他方の脚杆21Ａの下脚部24Ａが外れることがなく、前記荷重に対しても安定した構造となる。
【００４２】
【００４３】
また、このように本実施例では、請求項３に対応して、載置部たる背もたれ102に、折畳状態で、一方の脚杆21の上部側又は他方の脚杆21Ａが係止する収納係止部を設けたから、このように一方の脚杆21の上部側又は他方の脚杆21Ａを収納係止部33に係止すれば、一方の脚杆21の下脚部24が背もたれ背面103に連結されているから、脚体２が開くことなく収納部３に収納することができる。この場合の収納係止部33は、一方の脚杆21の枢着部22より上側である上部側又は他方の脚杆21Ａに係止する位置に設ければよい。
【００４４】
【００４５】
さらに、このように本実施例では、一方の脚杆31の上部側を収納係止部33に係止すれば、脚下部24の連結箇所との２点で脚体２を固定することができる。
【００４６】
【００４７】
尚、本発明は上記実施例に限定されるものではなく、本発明の要旨の範囲内において、種々の変形実施が可能である。
【００４８】
【発明の効果】
請求項１の発明は、脚杆同志を交叉状態に枢着して折り畳み可能に構成した脚体と、この脚体により支持する被支持材と、前記脚体を載置する載置部とを備えた開閉脚装置において、前記脚杆同志は平面状に折り畳み可能に構成され、前記脚杆は略四角形のフレーム状をなし、一方の前記脚杆を他方の前記脚杆より小さく形成し、前記脚体の折り畳み状態で、前記他方の脚杆内に前記一方の脚杆を収納可能な構成とし、前記一方の脚杆の下部を前記載置部に回動可能に連結し、前記脚体の使用状態で、前記他方の脚杆の下部が着脱可能に係止する使用係止部を前記載置部に設け、該載置部が座席の背もたれの背面であり、この背もたれが背面を上方とした位置に設定可能であるものであり、折り畳んだ脚体を開き、すなわち脚杆の上部間を狭めるように脚杆を回動し、他方の脚杆の下部を係止部に係止することにより、脚体を使用状態で載置部に固定してセットすることができる。そして、載置部に一方の脚杆が予め回動可能に連結されているから、載置部における脚体の開閉作業を簡便に行うことができ、かつ脚体が安定し、この安定した脚体により被支持材を支持することができる。また、収納状態で載置部にコンパクトに収納できる。さらに、折り畳んだ状態で、他方の脚杆内に一方の脚杆が納まり、かつ同一平面状に収納され、コンパクトに収納できる。さらに、背もたれをその背面を上方とした位置に設定し、この背面上に脚体を固定状態で安定して使用することができる。
【００４９】
また、請求項２の発明は、前記使用係止部は、前記一方の脚杆の下部側に開口する挿入部を有するものであり、脚部のセットが容易で、安定して使用することができる開閉脚装置を提供することができる。
【００５０】
【００５１】
また、請求項３の発明は、前記載置部に、折畳状態で、前記一方の脚杆の上部側又は前記他方の脚杆が係止する収納係止部を設けたものであり、脚部のセットが容易で、安定して使用することができる開閉脚装置を提供することができる。
【００５２】
【００５３】
【００５４】
【図面の簡単な説明】
【図１】本発明の一実施例を示す収納状態の全体断面図である。
【図２】同上、使用状態の全体断面図である。
【図３】同上、天板を組み付ける前の使用状態の全体断面図である。
【図４】同上、天板の長さ方向の断面を示す使用状態の全体断面図である。
【図５】同上、折り畳み状態の脚体の平面図である。
【図６】同上、脚杆の要部の断面図である。
【図７】同上、上部ブラケットの断面図である。
【図８】同上、上部ブラケットの斜視図である。
【図９】同上、回転ストッパの固定台と回転ロックの分解斜視図である。
【図１０】同上、使用状態の全体説明図である。
【図１１】同上、一方の分解天板部の底面図である。
【図１２】同上、一方の分解天板部の断面図である。
【図１３】同上、一方の分解天板部の要部の平面図である。
【図１４】同上、他方の分割天板の平面図である。
【図１５】同上、シートバックカバーの取り外し作業を説明する斜視図である。
【図１６】同上、シートバックカバーの透孔を穿設する作業を説明する斜視図である。
【図１７】同上、シートバックカバーにグロメットを装着する作業を説明する斜視図である。
【図１８】同上、フレーム枠にサスナットを装着する作業を説明する斜視図である。
【図１９】同上、固定用ブラケットの取り付け作業を説明する斜視図である。
【図２０】同上、上部ブラケットの取り付け作業を説明する斜視図である。
【図２１】同上、支持ブラケットと連結金具の取り付け作業を説明する斜視図である。
【図２２】同上、分割天板部の収納作業を説明する斜視図である。
【図２３】同上、回転ストッパによるロック作業を説明する斜視図である。
【符号の説明】
１ 天板
２ 脚体
21 一方の脚杆
21Ａ 他方の脚杆
23 脚下部（一方の脚杆の下部）
23Ａ 脚下部（他方の脚杆の下部）
32 使用係止杆具（使用係止部）
321 挿入部
33 挿入係止部
102 背もたれ
103 背面（載置部）
【図１】
0003646304.tif 000002
【図２】
0003646304.tif 000003
【図３】
0003646304.tif 000004
【図４】
0003646304.tif 000005
【図５】
0003646304.tif 000006
【図６】
0003646304.tif 000007
【図７】
0003646304.tif 000008
【図８】
0003646304.tif 000009
【図９】
0003646304.tif 000010
【図１０】
0003646304.tif 000011
【図１１】
0003646304.tif 000012
【図１２】
0003646304.tif 000013
【図１３】
0003646304.tif 000014
【図１４】
0003646304.tif 000015
【図１５】
0003646304.tif 000016
【図１６】
0003646304.tif 000017
【図１７】
0003646304.tif 000018
【図１８】
0003646304.tif 000019
【図１９】
0003646304.tif 000020
【図２０】
0003646304.tif 000021
【図２１】
0003646304.tif 000022
【図２２】
0003646304.tif 000023
【図２３】
0003646304.tif 000024